(57)【特許請求の範囲】
【請求項１】
磁気共鳴現象を利用して被検体内に関するデータを収集することにより被検体の画像を撮像する磁気共鳴イメージング装置であって、
操作者により設定された撮像パラメータの値に基づいて、前記データの収集に関する撮像条件を示す検査情報を生成する撮像条件生成手段と、
前記撮像条件生成手段によって生成された検査情報に基づいて、前記データの収集に際して実行されるイベントの種類および時系列の実行順序を表すタイムチャートを生成して表示部に表示させるチャート表示制御手段と、
を備え、
前記チャート表示制御手段は、収集データのｋ空間における位置を示す情報を前記タイムチャートとともに表示させることを特徴とする磁気共鳴イメージング装置。
【請求項２】
磁気共鳴現象を利用して被検体内に関するデータを収集することにより被検体の画像を撮像する磁気共鳴イメージング装置であって、
操作者により設定された撮像パラメータの値に基づいて、前記データの収集に関する撮像条件を示す検査情報を生成する撮像条件生成手段と、
前記撮像条件生成手段によって生成された検査情報に基づいて、前記データの収集に際して実行されるイベントの種類および時系列の実行順序を表すタイムチャートを生成して表示部に表示させるチャート表示制御手段と、
を備え、
前記チャート表示制御手段は、
前記イベントに係るスライス領域またはパルス印加領域の位置を示す位置決め画像をさらに表示させ、当該位置決め画像におけるスライス領域またはパルス印加領域の表示と前記タイムチャートにおけるイベントの表示とをイベントごとに連動させて制御し、
撮像の種類に応じて前記タイムチャートの表示形態を変える
ことを特徴とする磁気共鳴イメージング装置。
【請求項３】
磁気共鳴現象を利用して被検体内に関するデータを収集することにより被検体の画像を撮像する磁気共鳴イメージング装置であって、
操作者により設定された撮像パラメータの値に基づいて、前記データの収集に関する撮像条件を示す検査情報を生成する撮像条件生成手段と、
前記撮像条件生成手段によって生成された検査情報に基づいて、前記データの収集に際して実行されるイベントの種類および時系列の実行順序を表すタイムチャートを生成して表示部に表示させるチャート表示制御手段と、
を備え、
前記チャート表示制御手段は、
前記イベントに係るスライス領域またはパルス印加領域の位置を示す位置決め画像をさらに表示させ、当該位置決め画像におけるスライス領域またはパルス印加領域の表示と前記タイムチャートにおけるイベントの表示とをイベントごとに連動させて制御し、
前記検査情報が前記イベントとして反転パルスの印加とデータ収集とを含む撮像の撮像条件を示すものであった場合に、当該反転パルスの印加から当該データ収集までの時間を前記タイムチャートとともに表示させる
ことを特徴とする磁気共鳴イメージング装置。
【請求項４】
磁気共鳴現象を利用して被検体内に関するデータを収集することにより被検体の画像を撮像する磁気共鳴イメージング装置であって、
操作者により設定された撮像パラメータの値に基づいて、前記データの収集に関する撮像条件を示す検査情報を生成する撮像条件生成手段と、
前記撮像条件生成手段によって生成された検査情報に基づいて、前記データの収集に際して実行されるイベントの種類および時系列の実行順序を表すタイムチャートを生成して表示部に表示させるチャート表示制御手段と、
を備え、
前記チャート表示制御手段は、
前記イベントに係るスライス領域またはパルス印加領域の位置を示す位置決め画像をさらに表示させ、当該位置決め画像におけるスライス領域またはパルス印加領域の表示と前記タイムチャートにおけるイベントの表示とをイベントごとに連動させて制御し、
前記検査情報が、複数の撮像を連続して行うダイナミック撮像の撮像条件を示すものであった場合に、各撮像の実行タイミングを示す時刻を前記タイムチャートとともに表示させる
ことを特徴とする磁気共鳴イメージング装置。
【請求項５】
前記チャート表示制御手段は、前記イベントに係るスライス領域またはパルス印加領域の位置を示す位置決め画像をさらに表示させ、当該位置決め画像におけるスライス領域またはパルス印加領域の表示と前記タイムチャートにおけるイベントの表示とをイベントごとに連動させて制御することを特徴とする請求項１に記載の磁気共鳴イメージング装置。
【請求項６】
前記チャート表示制御手段は、操作者によって前記撮像パラメータの値が変更された場合に、変更された値に基づいて前記タイムチャートの表示を変更することを特徴とする請求項１〜５のいずれか一つに記載の磁気共鳴イメージング装置。
【請求項７】
前記チャート表示制御手段は、前記イベントが実行される時間間隔が表されるように前記タイムチャートを表示させることを特徴とする請求項１〜６のいずれか一つに記載の磁気共鳴イメージング装置。
【請求項８】
前記チャート表示制御手段は、前記イベントの種類に応じて、前記タイムチャートにおけるイベントの色、階調あるいはパターンを変えることを特徴とする請求項１〜７のいずれか一つに記載の磁気共鳴イメージング装置。
【請求項９】
前記チャート表示制御手段は、前記検査情報が心電同期を併用した冠状動脈撮像の撮像条件を示すものであった場合に、心電図波形を前記タイムチャートとともに表示させることを特徴とする請求項１〜８のいずれか一つに記載の磁気共鳴イメージング装置。
【請求項１０】
前記チャート表示制御手段は、前記検査情報が心電同期を併用した冠状動脈撮像の撮像条件を示すものであった場合に、Ｒ−Ｒ間隔の時間をさらに表示させることを特徴とする請求項１〜９のいずれか一つに記載の磁気共鳴イメージング装置。
【請求項１１】
前記チャート表示制御手段は、前記検査情報が心電同期を併用した冠状動脈撮像の撮像条件を示すものであった場合に、Ｒ波からの遅延時間をさらに表示させることを特徴とする請求項１〜１０のいずれか一つに記載の磁気共鳴イメージング装置。
【請求項１２】
磁気共鳴現象を利用して被検体内に関するデータを収集することにより被検体の画像を撮像する磁気共鳴イメージング装置に適用される撮像条件設定方法であって、
操作者により設定された撮像パラメータの値に基づいて、前記データの収集に関する撮像条件を示す検査情報を生成するステップと、
生成された検査情報に基づいて、前記データの収集に際して実行されるイベントの種類および時系列の実行順序を表すタイムチャートを生成して表示部に表示させるステップと、
を含み、
前記タイムチャートを表示させるステップでは、収集データのｋ空間における位置を示す情報を前記タイムチャートとともに表示させることを特徴とする撮像条件設定方法。
【請求項１３】
磁気共鳴現象を利用して被検体内に関するデータを収集することにより被検体の画像を撮像する磁気共鳴イメージング装置に適用される撮像条件設定方法であって、
操作者により設定された撮像パラメータの値に基づいて、前記データの収集に関する撮像条件を示す検査情報を生成するステップと、
生成された検査情報に基づいて、前記データの収集に際して実行されるイベントの種類および時系列の実行順序を表すタイムチャートを生成して表示部に表示させるステップと、
を含み、
前記タイムチャートを表示させるステップでは、
前記イベントに係るスライス領域またはパルス印加領域の位置を示す位置決め画像をさらに表示させ、当該位置決め画像におけるスライス領域またはパルス印加領域の表示と前記タイムチャートにおけるイベントの表示とをイベントごとに連動させて制御し、
撮像の種類に応じて前記タイムチャートの表示形態を変える
ことを特徴とする撮像条件設定方法。
【請求項１４】
磁気共鳴現象を利用して被検体内に関するデータを収集することにより被検体の画像を撮像する磁気共鳴イメージング装置に適用される撮像条件設定方法であって、
操作者により設定された撮像パラメータの値に基づいて、前記データの収集に関する撮像条件を示す検査情報を生成するステップと、
生成された検査情報に基づいて、前記データの収集に際して実行されるイベントの種類および時系列の実行順序を表すタイムチャートを生成して表示部に表示させるステップと、
を含み、
前記タイムチャートを表示させるステップでは、
前記イベントに係るスライス領域またはパルス印加領域の位置を示す位置決め画像をさらに表示させ、当該位置決め画像におけるスライス領域またはパルス印加領域の表示と前記タイムチャートにおけるイベントの表示とをイベントごとに連動させて制御し、
前記検査情報が前記イベントとして反転パルスの印加とデータ収集とを含む撮像の撮像条件を示すものであった場合に、当該反転パルスの印加から当該データ収集までの時間を前記タイムチャートとともに表示させる
ことを特徴とする撮像条件設定方法。
【請求項１５】
磁気共鳴現象を利用して被検体内に関するデータを収集することにより被検体の画像を撮像する磁気共鳴イメージング装置に適用される撮像条件設定方法であって、
操作者により設定された撮像パラメータの値に基づいて、前記データの収集に関する撮像条件を示す検査情報を生成するステップと、
生成された検査情報に基づいて、前記データの収集に際して実行されるイベントの種類および時系列の実行順序を表すタイムチャートを生成して表示部に表示させるステップと、
を含み、
前記タイムチャートを表示させるステップでは、
前記イベントに係るスライス領域またはパルス印加領域の位置を示す位置決め画像をさらに表示させ、当該位置決め画像におけるスライス領域またはパルス印加領域の表示と前記タイムチャートにおけるイベントの表示とをイベントごとに連動させて制御し、
前記検査情報が、複数の撮像を連続して行うダイナミック撮像の撮像条件を示すものであった場合に、各撮像の実行タイミングを示す時刻を前記タイムチャートとともに表示させる
ことを特徴とする撮像条件設定方法。
【発明の詳細な説明】
【技術分野】
【０００１】
この発明は、磁気共鳴現象を利用して被検体内に関するデータを収集することにより被検体の画像を撮像する磁気共鳴イメージング装置および撮像条件設定方法に関する。
【背景技術】
【０００２】
従来、磁気共鳴イメージング装置は、人体などの被検体の任意の断面をさまざまな組織間コントラストで画像化する装置である。かかる磁気共鳴イメージング装置では、高周波パルスや傾斜磁場パルスを印加するタイミングや、データ収集のタイミングなどを示すイベント（事象）を時系列に定義した、いわゆるパルスシーケンス（パルス系列）と呼ばれる手続きを実行することによって撮像が行われる。
【０００３】
磁気共鳴イメージング装置の操作者は、撮像に先立って各種の撮像パラメータを適切に設定し、その検査に要求されるコントラスト、ＳＮ比、空間分解能さらには流速や拡散などの情報を得る。ここでいう撮像パラメータとしては、例えば、繰り返し時間（ＴＲ：Repetition Time）やエコー時間（ＴＥ：Echo Time）、マトリクス数、撮像領域（ＦＯＶ：Field Of View）、スライス枚数、スライス厚などがある。
【０００４】
図１１は、従来の磁気共鳴イメージング装置における撮像パラメータを編集するためのユーザインタフェースの一例を示す図である。同図は、各種撮像パラメータを編集項目とした撮像条件編集画面を示している。操作者は、例えば、同図に示す撮像条件編集画面上で数値を入力したり、スライダやボタンなどのユーザインタフェースを操作したりすることによって、必要な撮像パラメータの値を設定する。
【０００５】
また、操作者は、上記で例示した撮像パラメータのほかにも、撮像法（スピンエコー法やＥＰＩ（Echo Planar Imaging）法などのパルスシーケンス種）や脂肪抑制パルス、反転パルスなどのプリパルスの種類、数、順序、スライス励起順など、目的に応じて撮像条件編集を行う。これらプリパルスや撮像パルスの空間的配置を確認するための技術として、位置決め画像上にスライス領域を表示する技術がある（例えば、特許文献１参照。）。この技術で用いられる位置決め画像は「グラフィックロケータ」などと呼ばれている。
【０００６】
【特許文献１】特開２００３−２９０１７１号公報
【発明の開示】
【発明が解決しようとする課題】
【０００７】
しかしながら、上述した従来の技術では、操作者は、プリパルスや撮像パルスの空間的配置を確認することはできるが、プリパルスや撮像パルスの時間的順序については確認することができない。すなわち、従来の技術では、操作者は、撮像条件を変更した際に、目的の撮像位置がどのタイミングで収集されるか、どのようなプリパルスがどのような順序、頻度で印加されるかなど、得られる画像に影響を与える情報を得ることができない。
【０００８】
この発明は、上述した従来技術による課題を解決するためになされたものであり、撮像パラメータの変更による画像への影響を操作者が容易に確認することができる磁気共鳴イメージング装置および撮像条件設定方法を提供することを目的とする。
【課題を解決するための手段】
【０００９】
上述した課題を解決し、目的を達成するため、本発明は、磁気共鳴現象を利用して被検体内に関するデータを収集することにより被検体の画像を撮像する磁気共鳴イメージング装置であって、操作者により設定された撮像パラメータの値に基づいて、前記データの収集に関する撮像条件を示す検査情報を生成する撮像条件生成手段と、前記撮像条件生成手段によって生成された検査情報に基づいて、前記データの収集に際して実行されるイベントの種類および時系列の実行順序を表すタイムチャートを生成して表示部に表示させるチャート表示制御手段と、を備えたことを特徴とする。
【００１０】
また、本発明は、磁気共鳴現象を利用して被検体内に関するデータを収集することにより被検体の画像を撮像する磁気共鳴イメージング装置に適用される撮像方法設定方法であって、操作者により設定された撮像パラメータの値に基づいて、前記データの収集に関する撮像条件を示す検査情報を生成するステップと、生成された検査情報に基づいて、前記データの収集に際して実行されるイベントの種類および時系列の実行順序を表すタイムチャートを生成して表示部に表示させるステップと、を含んだことを特徴とする。
【発明の効果】
【００１１】
本発明によれば、撮像パラメータの変更による画像への影響を操作者が容易に確認することができるという効果を奏する。
【発明を実施するための最良の形態】
【００１２】
以下に添付図面を参照して、この発明に係る磁気共鳴イメージング装置および撮像条件設定方法の好適な実施例を詳細に説明する。なお、以下に示す実施例では、磁気共鳴イメージング装置を「ＭＲＩ（Magnetic Resonance Imaging）装置」と呼ぶ。
【実施例１】
【００１３】
最初に、図１を用いて、本実施例１に係るＭＲＩ装置の全体構成について説明する。図１は、本実施例１に係るＭＲＩ装置の全体構成を示す図である。同図に示すように、本実施例１に係るＭＲＩ装置１００は、静磁場磁石１、傾斜磁場コイル２、傾斜磁場電源３、寝台４、寝台制御部５、送信ＲＦコイル６、送信部７、受信ＲＦコイル８、受信部９、計算機システム１０を備える。
【００１４】
静磁場磁石１は、中空の円筒形状に形成された磁石であり、内部の空間に一様な静磁場を発生する。この静磁場磁石１としては、例えば永久磁石、超伝導磁石等が使用される。
【００１５】
傾斜磁場コイル２は、中空の円筒形状に形成されたコイルであり、静磁場磁石１の内側に配置される。この傾斜磁場コイル２は、互いに直交するＸ，Ｙ，Ｚの各軸に対応する３つのコイルが組み合わされて形成されており、これら３つのコイルは、後述する傾斜磁場電源３から個別に電流供給を受けて、Ｘ，Ｙ，Ｚの各軸に沿って磁場強度が変化する傾斜磁場を発生させる。なお、Ｚ軸方向は、静磁場と同方向とする。
【００１６】
ここで、傾斜磁場コイル２によって発生するＸ，Ｙ，Ｚ各軸の傾斜磁場は、例えば、スライス選択用傾斜磁場Ｇｓ、位相エンコード用傾斜磁場Ｇｅおよびリードアウト用傾斜磁場Ｇｒにそれぞれ対応している。スライス選択用傾斜磁場Ｇｓは、任意に撮像断面を決めるために利用される。位相エンコード用傾斜磁場Ｇｅは、空間的位置に応じて磁気共鳴信号の位相を変化させるために利用される。リードアウト用傾斜磁場Ｇｒは、空間的位置に応じて磁気共鳴信号の周波数を変化させるために利用される。
【００１７】
傾斜磁場電源３は、計算機システム１０から送られるパルスシーケンス実行データに基づいて、傾斜磁場コイル２に電流を供給する装置である。
【００１８】
寝台４は、被検体Ｐが載置される天板４ａを備えた装置であり、後述する寝台制御部５による制御のもと、天板４ａを、被検体Ｐが載置された状態で傾斜磁場コイル２の空洞（撮像口）内へ挿入する。通常、この寝台４は、長手方向が静磁場磁石１の中心軸と平行になるように設置される。
【００１９】
寝台制御部５は、寝台４を制御する装置であり、寝台４を駆動して、天板４ａを長手方向および上下方向へ移動する。
【００２０】
送信ＲＦコイル６は、傾斜磁場コイル２の内側に配置されたコイルであり、送信部７から高周波パルスの供給を受けて、高周波磁場を発生する。
【００２１】
送信部７は、計算機システム１０から送られるパルスシーケンス実行データに基づいて、ラーモア周波数に対応する高周波パルスを送信ＲＦコイル６に送信する装置であり、発振部、位相選択部、周波数変換部、振幅変調部、高周波電力増幅部などを有する。発振部は、静磁場中における対象原子核に固有の共鳴周波数の高周波信号を発生する。位相選択部は、上記高周波信号の位相を選択する。周波数変換部は、位相選択部から出力された高周波信号の周波数を変換する。振幅変調部は、周波数変調部から出力された高周波信号の振幅を例えばｓｉｎｃ関数に従って変調する。高周波電力増幅部は、振幅変調部から出力された高周波信号を増幅する。これらの各部の動作の結果として、送信部７は、ラーモア周波数に対応する高周波パルスを送信ＲＦコイル６に送信する。
【００２２】
受信ＲＦコイル８は、傾斜磁場コイル２の内側に配置されたコイルであり、上記の高周波磁場の影響によって被検体から放射される磁気共鳴信号を受信する。この受信ＲＦコイル８は、磁気共鳴信号を受信すると、その磁気共鳴信号を受信部９へ出力する。
【００２３】
受信部９は、計算機システム１０から送られるパルスシーケンス実行データに基づいて、受信ＲＦコイル８から出力される磁気共鳴信号に基づいて磁気共鳴信号データを生成する装置である。この受信部９は、磁気共鳴信号データを生成すると、その磁気共鳴信号データを計算機システム１０に送信する。
【００２４】
計算機システム１０は、ＭＲＩ装置１００の全体制御や、データ収集、画像再構成などを行う装置であり、インタフェース部１１、データ収集部１２、データ処理部１３、記憶部１４、表示部１５、入力部１６および制御部１７を有している。
【００２５】
インタフェース部１１は、傾斜磁場電源３、寝台制御部５、送信部７および受信部９に接続されており、これらの接続された各部と計算機システム１０との間で授受される信号の入出力を制御する処理部である。
【００２６】
データ収集部１２は、インタフェース部１１を介して、受信部９から送信される磁気共鳴信号データを収集する処理部である。データ収集部１２は、磁気共鳴信号データを収集すると、収集した磁気共鳴信号データを記憶部１４に記憶させる。
【００２７】
データ処理部１３は、記憶部１４に記憶されている磁気共鳴信号データに対して、後処理、すなわちフーリエ変換等の再構成処理を施すことによって、被検体Ｐ内における所望核スピンのスペクトラムデータあるいは画像データを生成する処理部である。
【００２８】
記憶部１４は、データ収集部１２によって収集された磁気共鳴信号データと、データ処理部１３によって生成された画像データなどを、被検体Ｐごとに記憶する記憶部である。
【００２９】
表示部１５は、制御部１７による制御のもと、スペクトラムデータあるいは画像データ等の各種の情報を表示する装置である。この表示部１５としては、液晶表示器などの表示デバイスを利用可能である。
【００３０】
入力部１６は、操作者から各種操作や情報入力を受け付ける装置である。この入力部１６としては、マウスやトラックボールなどのポインティングデバイス、モード切替スイッチ等の選択デバイス、あるいはキーボード等の入力デバイスを適宜に利用可能である。
【００３１】
制御部１７は、図示していないＣＰＵやメモリ等を有し、ＭＲＩ装置１００を総括的に制御する処理部である。
【００３２】
以上、本実施例１に係るＭＲＩ装置１００の全体構成について説明した。このような構成のもと、本実施例１に係るＭＲＩ装置１００では、計算機システム１０が、設定された撮像条件に基づいて、目的の撮像位置がどのタイミングで収集されるか、どのようなプリパルスがどのような順序、頻度で印加されるかなどを示す「タイムチャート」を表示部１５に表示させることによって、撮像パラメータの変更による画像への影響を操作者が容易に確認することができるようにしている。
【００３３】
以下、かかる計算機システム１０が有する機能について具体的に説明してゆく。まず、図２を用いて、本実施例１に係る計算機システム１０の詳細な構成について詳細に説明する。図２は、本実施例１に係る計算機システム１０の詳細な構成を示す機能ブロック図である。同図は、表示部１５、制御部１７および記憶部１４が有する構成のうち本発明に特に関連する構成、および、インタフェース部１１、記憶部１４、表示部１５、入力部１６、制御部１７の相互関係を示している。
【００３４】
記憶部１４は、同図に示すように、本発明に特に関連する情報としては、検査情報１４ａを記憶している。検査情報１４ａは、各種撮像の種類に応じた撮像条件を示す情報であり、撮像の種類やスライス（断面）の位置、スライス厚、スライス数など、撮像条件を構成する各種撮像パラメータに設定された値を含んでいる。
【００３５】
表示部１５は、同図に示すように、本発明に特に関連する機能部としては、撮像条件編集表示部１５ａと、位置決め表示部１５ｂと、タイムチャート表示部１５ｃとを有している。
【００３６】
撮像条件編集表示部１５ａは、撮像条件に関する情報を表示する表示部である。具体的には、この撮像条件編集表示部１５ａは、後述する撮像条件編集／撮像位置決め部１７ａによる制御のもと、撮像条件に関する情報を撮像パラメータごとに入出力するための領域や、操作者から各種操作を受け付けるためのユーザインタフェースなどを有する撮像条件編集画面を表示する。
【００３７】
位置決め表示部１５ｂは、撮像されるスライスの位置を決める際の基準となる位置決め画像を表示するとともに、操作者によって設定された撮像条件に基づいて、位置決め画像上にスライス領域を示す図形を表示する表示部である。なお、この位置決め表示部１５ｂは、操作者によって撮像条件が変更された場合には、撮像条件編集表示部１５ａによる撮像条件の表示と連動して、スライス領域を示す図形の位置や形状を変化させる。
【００３８】
タイムチャート表示部１５ｃは、後述する撮像条件編集／撮像位置決め部１７ａによって生成されるタイムチャートを表示する表示部である。
【００３９】
制御部１７は、同図に示すように、特に本発明に関連する機能部として、撮像条件編集／撮像位置決め部１７ａと、撮像パラメータ限界計算部１７ｂと、パルスシーケンス実行データ生成部１７ｃとを有している。
【００４０】
撮像条件編集／撮像位置決め部１７ａは、撮像条件の編集やスライスの位置決めに関する情報を受け付けるとともに、後述する撮像パラメータ限界計算部１７ｂによって生成された検査情報１４ａに基づいて、磁気共鳴信号データの収集に際して実行されるイベントの種類および順序を表すタイムチャートを生成してタイムチャート表示部１５ｃに表示させる処理部である。
【００４１】
具体的には、この撮像条件編集／撮像位置決め部１７ａは、まず、入力部１６を介して、操作者から撮像条件編集画面２０の表示要求を受け付けた場合には、撮像条件編集表示部１５ａを制御して撮像条件編集画面２０を表示させる。
【００４２】
また、撮像条件編集／撮像位置決め部１７ａは、入力部１６を介して、撮像条件編集画面２０の撮像パラメータへ値を設定する操作を操作者から受け付けた場合には、設定された値を撮像パラメータごとに撮像パラメータ限界計算部１７ｂに引き渡す。そして、撮像条件編集／撮像位置決め部１７ａは、撮像パラメータ限界計算部１７ｂから撮像パラメータの限界値が応答された場合には、撮像条件編集表示部１５ａを制御して、応答された限界値を撮像パラメータごとに撮像条件編集画面２０に表示させる。
【００４３】
また、撮像条件編集／撮像位置決め部１７ａは、入力部１６を介して、操作者からタイムチャートの表示要求を受け付けた場合には、記憶部１４によって記憶されている検査情報１４ａを読み出し、読み出した検査情報１４ａに基づいて、データの収集に際して実行されるイベントの種類および時系列の実行順序を表すタイムチャートを生成する。
【００４４】
このとき、撮像条件編集／撮像位置決め部１７ａは、タイムチャートを生成する際には、実行されるイベントの時間間隔が表されるようにタイムチャート３０を生成する。そして、撮像条件編集／撮像位置決め部１７ａは、タイムチャート表示部１５ｃを制御して、生成したタイムチャートを表示させる。
【００４５】
ここで、図３を用いて、撮像条件編集／撮像位置決め部１７ａによるタイムチャートの表示について詳細に説明する。図３は、撮像条件編集／撮像位置決め部１７ａによるタイムチャートの表示を説明するための図である。同図（ａ）は、撮像条件編集表示部１５ａによって表示される撮像条件編集画面２０の一例を示している。
【００４６】
同図に示すように、例えば、撮像条件編集画面２０は、「ＴＲ」や「スライス枚数」、「スライス厚」、「積算回数」などの撮像パラメータごとに設定されている値を表示する領域を有している。この撮像条件編集画面２０において、設定された繰り返し時間内に撮像可能な最大スライス枚数は、記憶部１４に検査情報１４ａとして記憶されている他の撮像条件やその他の情報（例えば、患者体重や高周波送信電力など）を参照して計算される。同図の例は、２次元のスピンエコー画像をマルチスライス法で収集する場合を示しており、繰り返し時間ＴＲ＝５００ミリ秒中に６枚のスライスが収集される場合を示している。
【００４７】
また、撮像条件編集画面２０は、操作者から各種操作を受け付けるためのボタンとして、例えば、同図に示すように、プリサットボタン２１やインターリーブボタン２２、シーケンスチャートボタン２３などを有している。プリサットボタン２１は、撮像対象の不要な部分からの信号を抑制するためのプリサチュレーションパルスの設定要求を操作者から受け付けるためのボタンである。また、インターリーブボタン２２は、繰り返し時間内でのスライス収集順序の入れ替え要求を受け付けるためのボタンである。また、シーケンスチャートボタン２３は、タイムチャートの表示要求を受け付けるためのボタンである。
【００４８】
かかる撮像条件編集画面２０において、入力部１６を介して、操作者によってシーケンスチャートボタン２３が押された場合には、撮像条件編集／撮像位置決め部１７ａは、同図（ｂ）に示すように、例えば、６スライス分のデータ収集を表す図形を時系列に並べたタイムチャート３０を生成する。同図において、「ａｃｑ」はデータ収集を表しており、「Ｓ１」〜「Ｓ６」はそれぞれ１番〜６番までのスライス番号を表している。このタイムチャート３０は、繰り返し時間内でスライス番号の順で各スライスのデータ収集が行われることを示している。
【００４９】
そして、撮像条件編集／撮像位置決め部１７ａは、入力部１６を介して、操作者によって撮像条件編集画面２０のプリサットボタン２１が押された場合には、撮像パラメータ限界計算部１７ｂを制御してスライス枚数を再計算させた後に、計算結果に基づいて、撮像条件編集画面２０およびタイムチャート３０の表示を変更する。
【００５０】
具体的には、撮像条件編集／撮像位置決め部１７ａは、操作者によって撮像条件編集画面２０のプリサットボタン２１が押されると、撮像パラメータ限界計算部１７ｂを制御して、各スライスのデータ収集の直前にプリサチュレーションパルスを追加した場合の、繰り返し時間内で撮像可能なスライス枚数を再計算させ、再計算されたスライス枚数を撮像条件編集画面２０に表示させる。
【００５１】
図４は、プリサットボタン２１が押された場合のタイムチャート３０の表示を説明するための図である。プリサットボタン２１が押された場合には、撮像条件編集／撮像位置決め部１７ａは、例えば、同図（ａ）に示すように、スライス枚数の表示を「６」から「５」に変更する。
【００５２】
また、撮像条件編集／撮像位置決め部１７ａは、撮像パラメータ限界計算部１７ｂによって再計算されたスライス枚数に基づいて、タイムチャート表示部１５ｃに表示させたタイムチャート３０の表示を変更する。
【００５３】
例えば、撮像条件編集／撮像位置決め部１７ａは、同図（ｂ）に示すように、タイムチャート３０に表示されているデータ収集を示す図の数を６つから５つに変更し、さらに、データ収集を示す「Ｓ１」〜「Ｓ５」の直前に、それぞれプリサチュレーションパルスを表す図「ｐ」を追加する。
【００５４】
このように、撮像条件編集／撮像位置決め部１７ａが、操作者によってプリサットボタン２１が押された場合に、タイムチャート３０の表示を変更することによって、操作者は、プリサチュレーションパルスの印加が追加された場合のパルスシーケンスの変化、スライス枚数が減少する過程、プリサチュレーションパルスの印加頻度などを目視により容易に確認することができる。
【００５５】
また、撮像条件編集／撮像位置決め部１７ａは、入力部１６を介して、操作者によって撮像条件編集画面２０のインターリーブボタン２２が押された場合には、撮像パラメータ限界計算部１７ｂを制御して制御部は繰り返し時間内のスライス収集順序を入れ替えさせた後に、その結果に基づいてタイムチャート３０の表示を変更する。
【００５６】
図５は、インターリーブボタン２２が押された場合のタイムチャート３０の表示を説明するための図である。同図（ａ）に示すように、インターリーブボタン２２が押された場合には、撮像条件編集／撮像位置決め部１７ａは、例えば、同図（ｂ）に示すように、タイムチャート３０に表示されているスライス収集順序を「Ｓ１」、「Ｓ２」、「Ｓ３」、「Ｓ４」、「Ｓ５」の順から「Ｓ１」、「Ｓ３」、「Ｓ５」、「Ｓ２」、「Ｓ４」の順に入れ替える。
【００５７】
従来、撮像パラメータの変更によるスライス収集順序の変化は容易に確認することができなかった。しかし、本実施例１によれば、同図（ｂ）に示すように、スライス励起の順序が奇数番目を先に収集し偶数番目が後で収集されるように変わったことがタイムチャート３０によって明示されるので、図４（ｂ）に示した状態と対比することにより、操作者がスライス収集順序の変化を容易に確認することができるようになる。
【００５８】
さらに、本実施例１では、撮像条件編集／撮像位置決め部１７ａが、位置決め表示部１５ｂによる位置決め画像上の表示と、撮像条件編集画面２０およびタイムチャート３０の表示とをイベントごとに連動させることによって、撮像条件の変更による画像への影響をより明示的に操作者に知らせることができるようにしている。
【００５９】
例えば、図５（ｃ）は、頸部の矢状断の位置決め画像４０上に次の横断面の撮像位置を計画する例を示している。同図において、「１」〜「５」の番号が付けられた四角形は、それぞれスライス（スライス領域）の位置を表している。ここで、スライス１は、同図（ｂ）に示すタイムチャート３０のスライスＳ１に対応しており、スライス２は、同じくタイムチャート３０のスライスＳ２に対応している。同様に、スライス３、４、５は、それぞれ、タイムチャート３０のスライスＳ３、Ｓ４、Ｓ５に対応している。
【００６０】
このように、撮像条件編集／撮像位置決め部１７ａが、タイムチャート３０におけるスライスと、位置決め画像４０におけるスライスとをスライス番号で対応付けて表示することによって、操作者は、ひとつの繰り返し時間内で、スライスの励起が被検者の頭部側から１枚置きに行われ、次いで、間のスライスが励起されることを容易に認識することができるようになる。すなわち、操作者が、スライス特性の理想状態からの乖離によってスライス間での干渉がある場合に、その干渉が軽減されるような励起順になったことを容易に認識することができるようになる。
【００６１】
また、撮像条件編集／撮像位置決め部１７ａは、同図（ｃ）に示すように、プリサチュレーションパルスの位置を示す図形Ｐ１を位置決め画像４０上に表示する。これにより、操作者は、各スライスデータ取得の前に励起される部分を容易に把握することができる。
【００６２】
加えて、撮像条件編集／撮像位置決め部１７ａは、例えば、入力部１６を介して、操作者によって位置決め画像４０上でスライス３が指定された場合には、タイムチャート３０上で、スライス３に対応するスライスＳ３を強調表示させる。一方、これとは反対に、例えば、操作者によってタイムチャート３０上でスライスＳ３が指定された場合には、撮像条件編集／撮像位置決め部１７ａは、位置決め画像４０上で、スライス３に対応するスライスＳ３を強調表示させる。
【００６３】
このように、撮像条件編集／撮像位置決め部１７ａが、タイムチャート３０上のスライスと位置決め画像４０上のスライスとの対応関係が示されるように、タイムチャート３０または位置決め画像４０のスライスの表示を変化させることによって、データ収集の空間的配置と時間的配置とを互いに関連付けて操作者に示すことが可能になる。
【００６４】
図２にもどって、撮像パラメータ限界計算部１７ｂは、撮像パラメータの限界値の計算や、磁気共鳴信号データの収集に関する撮像条件を示す検査情報を生成する処理部である。具体的には、この撮像パラメータ限界計算部１７ｂは、撮像条件編集／撮像位置決め部１７ａから撮像パラメータの値が引き渡されると、その撮像パラメータの値に依存する他の撮像パラメータの限界値を計算する。
【００６５】
そして、撮像パラメータ限界計算部１７ｂは、計算した撮像パラメータの限界値を撮像条件編集／撮像位置決め部１７ａに返却するとともに、その都度、引き渡された撮像パラメータの値および計算した撮像パラメータの値に基づいて、磁気共鳴信号データの収集に関する撮像条件を示す検査情報１４ａを生成し、記憶部１４に記憶させる。
【００６６】
パルスシーケンス実行データ生成部１７ｃは、記憶部１４に記憶されている検査情報１４ａを用いて撮像を実行させる処理部である。具体的には、このパルスシーケンス実行データ生成部１７ｃは、入力部１６を介して、操作者から撮像の開始指示を受け付けた場合には、記憶部１４に検査情報１４ａとして記憶されている撮像条件に基づいてパルスシーケンス実行データ１７ｄを生成し、生成したパルスシーケンス実行データ１７ｄをインタフェース部１１を介して送出することによって、傾斜磁場電源３、送信部７および受信部９に撮像を実行させる。
【００６７】
次に、本実施例１に係るＭＲＩ装置１００によるタイムチャート表示の処理手順について説明する。図６は、本実施例１に係るＭＲＩ装置１００によるタイムチャート表示の処理手順を示すフローチャートである。
【００６８】
同図に示すように、このＭＲＩ装置１００では、操作者から撮像条件編集画面２０の表示要求を受け付けると、撮像条件編集／撮像位置決め部１７ａが、撮像条件編集表示部１５ａを制御して撮像条件編集画面２０を表示させ（ステップＳ１０１）、撮像条件の設定を受け付ける（ステップＳ１０２）。
【００６９】
そして、操作者によって撮像条件編集画面２０から撮像条件が設定されると、撮像パラメータ限界計算部１７ｂが、設定された撮像条件に基づいて検査情報１４ａを生成する（ステップＳ１０３）。
【００７０】
その後、操作者によって撮像条件編集画面２０のシーケンスチャートボタン２３が押された場合には（ステップＳ１０４，Ｙｅｓ）、撮像条件編集／撮像位置決め部１７ａが、撮像パラメータ限界計算部１７ｂによって生成された検査情報１４ａに基づいてタイムチャート３０を生成した後に、タイムチャート表示部１５ｃを制御して、生成したタイムチャート３０を表示させる（ステップＳ１０５）。
【００７１】
ここで、操作者によって撮像条件編集画面２０のプリサットボタン２１が押された場合には（ステップＳ１０６，Ｙｅｓ）、撮像パラメータ限界計算部１７ｂが、スライス枚数を再計算し（ステップＳ１０７）、撮像条件編集／撮像位置決め部１７ａが、再計算されたスライス枚数に基づいてタイムチャート３０の表示を変更する（ステップＳ１０８）。
【００７２】
また、操作者によって撮像条件編集画面２０のインターリーブボタン２２が押された場合には（ステップＳ１０９，Ｙｅｓ）、撮像パラメータ限界計算部１７ｂが、スライス収集順序を入れ替え（ステップＳ１１０）、撮像条件編集／撮像位置決め部１７ａが、入れ替えられたスライス収集順序に基づいてタイムチャート３０の表示を変更する（ステップＳ１１１）。
【００７３】
上述してきたように、本実施例１では、撮像パラメータ限界計算部１７ｂが、操作者により設定された撮像パラメータの値に基づいて、磁気共鳴信号データの収集に関する撮像条件を示す検査情報１４ａを生成し、撮像条件編集／撮像位置決め部１７ａが、撮像パラメータ限界計算部１７ｂによって生成された検査情報１４ａに基づいて、磁気共鳴信号データの収集に際して実行されるイベントの種類および時系列の実行順序を表すタイムチャート３０を生成してタイムチャート表示部１５ｃに表示させるので、撮像パラメータの変更による画像への影響を操作者が容易に確認することができる。
【実施例２】
【００７４】
ところで、上記実施例１では、図３〜５を用いて、２次元のスピンエコー画像をマルチスライス法で収集する場合のタイムチャート３０の表示について説明したが、タイムチャート３０の表示形態は図３〜５に示したものに限られるわけではなく、撮像の種類ごとに適した表示形態が用いられてもよい。そこで、以下では実施例２として、撮像の種類に応じたタイムチャート３０の変形例について説明する。なお、本実施例２では、撮像条件編集／撮像位置決め部１７ａによって行われる処理を中心に説明する。
【００７５】
（１）心電同期を併用した冠状動脈撮像
まず、心電同期を併用した冠状動脈撮像に関するタイムチャートの表示について説明する。心電同期を併用した冠状動脈撮像では、通常、Ｔ２コントラストを付与するためのプリパルスや、体動を検出して動きを補正するためのデータ収集、関心領域外の不要な信号を抑制するためのプリサチュレーションパルス、脂肪信号を抑制するためのパルス、定常状態を促進するためのダミーパルスなど、さまざまなプリパルスが実際のデータ収集に先立って印加される。
【００７６】
そこで、記憶部１４から読み出した検査情報１４ａが心電同期を併用した冠状動脈撮像の撮像条件を示すものであった場合、撮像条件編集／撮像位置決め部１７ａは、上述した各種のプリパルスを表示したタイムチャートをタイムチャート表示部１５ｃに表示させる。
【００７７】
図７は、心電同期を併用した冠状動脈撮像に関するタイムチャートの一例を示す図である。同図に示すように、例えば、撮像条件編集／撮像位置決め部１７ａは、Ｔ２コントラストを付与するためのプリパルスを示す図形「Ｔ２ｐｒｅｐ」や、体動を検出して動きを補正するためのデータ収集を示す図形「Ｎａｖ」、関心領域外の不要な信号を抑制するためのプリサチュレーションパルスを示す図形「ｐ」、脂肪信号を抑制するためのパルスを示す図形「Ｆ」、定常状態を促進するためのダミーパルスを示す図形「Ｄ」などを、データ収集を示す「ａｃｑ」の前に配置したタイムチャート１３０をタイムチャート表示部１５ｃに表示させる。
【００７８】
なお、心電同期を併用した冠状動脈撮像は、被検者の心電図波形に同期して行われるため、常に、Ｒ波からの相対時刻で各イベントが発生する。そこで、撮像条件編集／撮像位置決め部１７ａは、同図に示すように、タイムチャート１３０上に模擬心電図波形を併せて表示させ、さらに、模擬心電図波形にＲ−Ｒ間隔の時間（同図に示す「Ｒ−Ｒ＝９５０」）を表示させる。さらに、撮像条件編集／撮像位置決め部１７ａは、Ｒ波からＴ２コントラストを付与するためのプリパルスまでの遅延時間（同図に示す「Ｔｄ＝２００」）を表示させる。
【００７９】
このように、撮像条件編集／撮像位置決め部１７ａが、タイムチャート１３０とともに、心電図波形、Ｒ−Ｒ間隔の時間、および、Ｒ波からの遅延時間を表示させることによって、操作者は、Ｒ波から２００ミリ秒の遅延時間の後に各プリパルスが所定の期間印加され、次いでダミーパルスの印加が行われた後に拡張期に相当する時相にデータ収集が行われるパルスシーケンスが組み立てられた様子を目視により容易に確認することができる。
【００８０】
また、心電同期を併用した冠状動脈撮像では、画質を左右する要因として、データ収集が心臓の動きの比較的少ない拡張期に行われること、一心拍内のデータ収集時間が全撮像時間内の許される範囲でできるだけ短く設定されていること、脂肪抑制パルス「Ｆ」、動きを検出するためのデータ収集「Ｎａｖ」などができるだけデータ収集「ａｃｑ」に近いタイミングで実行されることなどがある。
【００８１】
従来、これら要因となる撮像パラメータが適切に設定されているか否かは、操作者にとって撮像条件設定画面だけでは理解が困難であった。しかし、本実施例によれば、タイムチャート１３０とともに、心電図波形、Ｒ−Ｒ間隔の時間、および、Ｒ波からＴ２コントラストを付与するためのプリパルスまでの遅延時間がまとめて表示されるので、撮像パラメータが適切に設定されているか否かを操作者が容易に判断することができるようになる。
【００８２】
さらに、撮像条件編集／撮像位置決め部１７ａは、表示されたタイムチャート１３０において操作者から指定された一部分をさらに拡大して詳細に表示するようにしてもよい。同図に示すチャート拡大図１３１は、データ収集部「ａｃｑ」を拡大した図を示しており、「ａｃｑ」が、４回の連続したフィールドエコー収集より構成されていることを示している。
【００８３】
通常、撮像条件設定の操作においては、同図に示したチャート拡大図１３１よりも詳細なパルスシーケンスの情報を知ることは必ずしも要求されない。しかし、撮像条件編集／撮像位置決め部１７ａは、チャート拡大図１３１をさらに拡大して詳細を表示する（例えば、高周波パルス、スライス選択用の傾斜磁場パルス、位相エンコード用の傾斜磁場パルス、周波数エンコード用の傾斜磁場パルスなど、パルスの種類ごとにパルスシーケンスを表示する）ようにしてもよい。その場合、撮像条件編集／撮像位置決め部１７ａは、例えば、操作者の資格に応じて、どこまで詳細な情報を開示するかを制御する。
【００８４】
（２）分割型フィールドエコー法による撮像
次に、セグメントと呼ばれる複数の単位にｋ空間を分割し、セグメントごとにプリパルスの印加や心電同期を行うセグメント分割型フィールドエコー法による撮像に関するタイムチャートの表示について説明する。
【００８５】
具体的には、記憶部１４から読み出した検査情報１４ａが分割型フィールドエコー法による撮像の撮像条件を示すものであった場合、撮像条件編集／撮像位置決め部１７ａは、脂肪抑制プリパルスを示す図形とセグメントを示す図形とを交互に並べたタイムチャートをタイムチャート表示部１５ｃに表示させる。
【００８６】
図８は、セグメント分割型フィールドエコー法による撮像に関するタイムチャートの一例を示す図であり、脂肪抑制プリパルスが併用される場合を示している。同図（ａ）に示すように、例えば、撮像条件編集／撮像位置決め部１７ａは、セグメント数が２である場合には、脂肪抑制プリパルスを示す「Ｆ」、ひとつ目のセグメントを示す図形「Ｓｅｇ１」、脂肪抑制プリパルスを示す「Ｆ」、ふたつ目のセグメントを示す「Ｓｅｇ２」を順番に並べたタイムチャート２３０を表示させる。
【００８７】
そして、例えば、操作者によってセグメント数が８に変更された場合には、撮像条件編集／撮像位置決め部１７ａは、同図（ｂ）に示すように、セグメントを示す図形を８つに増やし、各セグメントを示す図形「Ｓｅｇ１」〜「Ｓｅｇ８」それぞれの直前に脂肪抑制プリパルス「Ｆ」が配置された状態となるようにタイムチャート２３０の表示を変更する。
【００８８】
このように、撮像条件編集／撮像位置決め部１７ａが、操作者によって設定されたセグメント数に基づいてタイムチャート２３０の表示を変えることによって、操作者は、脂肪抑制パルスの数が増えた結果、セグメント数以外の撮像条件が全て同じであっても、全体の撮像時間が増加し、その代わりに脂肪抑制パルスの頻度が上がるために脂肪抑制効果が向上することを容易に確認することができる。
【００８９】
このような撮像条件の変更による撮像時間や画質に与える影響は、パルスシーケンスのタイミングを示すことにより始めて説明できるものである。このことは、通常、装置の取扱説明書などに記述されているが、上記のように、撮像条件の編集時に撮像条件変更と同時にその変化を示すことによって、操作者が画質への影響をよりよく理解できるようになる。
【００９０】
（３）ＡＳＬ(Arterial Spin Labeling)による血管撮像
次に、ＡＳＬによる血管撮像に関するタイムチャートの表示について説明する。なお、ここでは、ＡＳＬ法の一手法であるＴｉｍｅ−ＳＬＩＰ法と呼ばれる手法について説明する。このＴｉｍｅ−ＳＬＩＰ法は、特定の血管のみを選択的に描出するために、撮像領域と独立に選択的反転パルスの領域を設定することを特徴とした手法である。
【００９１】
具体的には、記憶部１４から読み出した検査情報１４ａがＴｉｍｅ−ＳＬＩＰ法による撮像の撮像条件を示すものであった場合、撮像条件編集／撮像位置決め部１７ａは、反転パルスやデータ収集などを表示したタイムチャートをタイムチャート表示部１５ｃに表示させる。
【００９２】
図９は、Ｔｉｍｅ−ＳＬＩＰ法による撮像に関するタイムチャートの一例を示す図である。同図は、反転パルスを印加して一定時間が経過した後にデータ収集を行うことによって、撮像領域内に流入する動脈血のみを描出する場合を示している。また、同図の例では、同じ時間に流入する静脈血からの信号を抑制するために別の領域にプリサチュレーションパルスを併せて印加している。
【００９３】
同図（ａ）に示すように、例えば、撮像条件編集／撮像位置決め部１７ａは、反転パルスを示す図形「ＩＲ」や、プリサチュレーションパルスを示す図形「ｐ」、データ収集を示す「ａｃｑ」の前に配置したタイムチャート３３０を表示させる。また、撮像条件編集／撮像位置決め部１７ａは、タイムチャート３３０上に模擬心電図波形を併せて表示させ、さらに、模擬心電図波形にＲ−Ｒ間隔の時間（同図に示す「Ｒ−Ｒ＝９００」）と、反転パルスからデータ収集までの時間（同図に示す「ＴＩ＝６００」）を表示させる。
【００９４】
ＡＳＬ法により特定の血管の描出を行う場合には、血管の走行とおおよその血流速、各パルスのタイミングと位置を全て勘案して撮像条件を適切に設定することが重要であるが、本実施例によれば、タイムチャート３３０とともに、心電図波形、Ｒ−Ｒ間隔の時間、および、反転パルスからデータ収集までの時間がまとめて表示されるので、撮像パラメータが適切に設定されているか否かを操作者が容易に判断することができるようになる。
【００９５】
なお、反転パルスを示す図形「ＩＲ」、プリサチュレーションパルスを示す図形「Ｐ」、データ収集を示す図形「ａｃｑ」をタイムチャート３３０に表示させる際、撮像条件編集／撮像位置決め部１７ａが、パルスの種類ごとに異なる色、階調あるいは網掛けなどのパターンで図形を表示させるようにしてもよい。そして、その上で、撮像条件編集／撮像位置決め部１７ａが、同図（ｂ）に示すように、各パルスを示す図形と同じ色または階調、パターンで位置決め画像３４０上にその場所を示す図形（ここでは、四角形）を表示させてもよい（同図（ｂ）の例では、色や階調、パターンを変える代わりに、四角形の線種を変えている）。これにより、各パルスの空間的位置と時間的順序との対応を操作者が容易に理解することができるようになる。
【００９６】
（４）収集データのｋ空間における位置の表示
ＭＲＩ装置では、収集されたデータの実空間(ｋ空間と呼ばれる)における位置によって、当該データをフーリエ変換して得られる画像に与える影響が異なる。具体的には、ｋ空間の中心付近、すなわち、低周波領域に配置された信号は画像のコントラストに影響を与え、画像の輪郭はｋ空間の外側、すなわち、高周波領域に配置された信号に支配されることが良く知られている。
【００９７】
したがって、ＭＲＩ装置による撮像では、ｋ空間上に配置されるデータをどのような順序で収集するかが重要になる場合がある。そこで、撮像条件編集／撮像位置決め部１７ａが、収集データのｋ空間における位置をタイムチャートとともにタイムチャート表示部１５ｃに表示させるようにしてもよい。
【００９８】
図１０は、収集データのｋ空間における位置を表示する場合のタイムチャートの一例を示す図である。同図は、造影剤を静脈から注入した後に撮像を連続的に繰り返す、いわゆるダイナミック撮像におけるタイムチャートの一例を示している。
【００９９】
具体的には、撮像条件編集／撮像位置決め部１７ａは、記憶部１４から読み出した検査情報１４ａがダイナミック撮像の撮像条件を示すものであった場合には、連続する撮像すなわちデータ収集の実行タイミングを示す時刻を表示したタイムチャートをタイムチャート表示部１５ｃに表示させる。
【０１００】
例えば、同図（ａ）に示すように、撮像条件編集／撮像位置決め部１７ａは、５つの時相におけるデータ収集の幅示す図形「ｐｈ．１」〜「ｐｈ．５」を、データ収集が開始される時刻とともに配置したタイムチャート４３０を表示させる。ここで、「ｐｈ．１」〜「ｐｈ．５」を表示する際、撮像条件編集／撮像位置決め部１７ａは、ｋ空間中心からあらかじめ設定された割合（例えば、２５％）以内に含まれるデータが収集される部分については、他の部分とは異なる色または階調あるいはパターンで表示する。
【０１０１】
フーリエ変換によって得られる画像のコントラストは、ｋ空間中心のデータが収集されるタイミングで決まる。そのため、ｋ空間中心のデータが収集される、造影剤注入の開始からの時刻を知ることは、適切なコントラストの画像を得るために、各時相のデータ収集全体の時刻を知ることと同じく重要である。
【０１０２】
本実施例によれば、ダイナミック撮像における時相ごとに、データ収集の幅を示す「ｐｈ．１」〜「ｐｈ．５」が時間とともに表示され、さらに、「ｐｈ．１」〜「ｐｈ．５」それぞれには、収集データのｋ空間における位置が表示されるので、適切なコントラスの画像を得るために必要な撮像条件が正しく設定されているか否かを容易に確認することができるようになる。
【０１０３】
なお、同図（ａ）では、収集データをｋ空間中心から２５％以内の領域とそれ以外の領域の２つに分割して表示する例を示したが、領域を分割する数は２つに限られるわけではなく、より細かく分割してもよい。その場合、データ収集の幅を示す図形の表示は、例えば、同図（ｂ）に示すように、より詳細なものとなる。なお、同図（ｃ）は、（ｂ）に示した図形により示される収集データのｋ空間における位置を示している。
【０１０４】
なお、上記で説明した実施例では、撮像条件の編集過程でタイムチャートを表示する場合について説明したが、本発明はこれに限定されるものではなく、例えば、装置の実装上、パルスシーケンス実行データが生成される際に検査情報が更新されるような場合には、パルスシーケンス実行データが生成された後に、タイムチャートを表示することができるようにしてもよい。
【産業上の利用可能性】
【０１０５】
以上のように、本発明に係る磁気共鳴イメージング装置および撮像条件設定方法は、撮像条件の変更による画像への影響を確認する場合に有用であり、特に、データ収集に際して実行されるイベントの時間的順序を確認する場合に適している。
【図面の簡単な説明】
【０１０６】
【図１】本実施例１に係るＭＲＩ装置の全体構成を示す図である。
【図２】本実施例１に係る計算機システムの詳細な構成を示す機能ブロック図である。
【図３】撮像条件編集／撮像位置決め部によるタイムチャートの表示を説明するための図である。
【図４】プリサットボタンが押された場合のタイムチャートの表示を説明するための図である。
【図５】インターリーブボタンが押された場合のタイムチャートの表示を説明するための図である。
【図６】本実施例１に係るＭＲＩ装置によるタイムチャート表示の処理手順を示すフローチャートである。
【図７】心電同期を併用した冠状動脈撮像に関するタイムチャートの一例を示す図である。
【図８】セグメント分割型フィールドエコー法による撮像に関するタイムチャートの一例を示す図である。
【図９】Ｔｉｍｅ−ＳＬＩＰ法による撮像に関するタイムチャートの一例を示す図である。
【図１０】収集データのｋ空間における位置を表示する場合のタイムチャートの一例を示す図である。
【図１１】従来の磁気共鳴イメージング装置における撮像パラメータを編集するためのユーザインタフェースの一例を示す図である。
【符号の説明】
【０１０７】
１    静磁場磁石
２    傾斜磁場コイル
３    傾斜磁場電源
４    寝台
４ａ    天板
５    寝台制御部
６    送信ＲＦコイル
７    送信部
８    受信ＲＦコイル
９    受信部
１０    計算機システム
１１    インタフェース部
１２    データ収集部
１３    データ処理部
１４    記憶部
１４ａ    検査情報
１５    表示部
１５ａ    撮像条件編集表示部
１５ｂ    位置決め表示部
１５ｃ    タイムチャート表示部
１６    入力部
１７    制御部
１７ａ    撮像条件編集／撮像位置決め部
１７ｂ    撮像パラメータ限界計算部
１７ｃ    パルスシーケンス実行データ生成部
１７ｄ    パルスシーケンス実行データ
２０    撮像条件編集画面
２１    プリサットボタン
２２    インターリーブボタン
２３    シーケンスチャートボタン
３０，１３０，２３０，３３０，４３０    タイムチャート
４０，３４０    位置決め画像
１００    ＭＲＩ装置（磁気共鳴イメージング装置）
１３１    チャート拡大図
【図１】
0005361236.tif 000002
【図２】
0005361236.tif 000003
【図３】
0005361236.tif 000004
【図４】
0005361236.tif 000005
【図５】
0005361236.tif 000006
【図６】
0005361236.tif 000007
【図７】
0005361236.tif 000008
【図８】
0005361236.tif 000009
【図９】
0005361236.tif 000010
【図１１】
0005361236.tif 000011
【図１０】
0005361236.tif 000012